(57)【特許請求の範囲】
【請求項１】
送受信アンテナと無線部とを備えた自動販売機と、商品購入希望者が使用する携帯端末とを有し、前記自動販売機と前記携帯端末とは、通信を行う通信システムであって、
前記自動販売機は、前記自動販売機に購入希望商品が在庫切れの場合に、少なくとも前記購入希望商品を扱っている最寄りの自動販売機がどこにあるかの位置情報を含む商品情報を、前記携帯端末に送信し、前記位置情報には、地図情報が含まれており、
前記携帯端末は、前記自動販売機から送信された商品情報を表示部に画面表示し、その画面には少なくとも前記購入希望商品を扱っている最寄りの自動販売機の位置の地図と、現在の自動販売機位置の方向を示す矢印と、該矢印が携帯端末の画面の上面になるように携帯端末の向きを変更するように促すコメントとを表示することを特徴とする自動販売機と携帯端末との通信システム。
【請求項２】
前記自動販売機に購入希望商品が在庫切れの場合には、前記自動販売機は前記購入希望商品を扱っている最寄りの自動販売機がどこにあるかが確認できるＷＥＢアドレス（ＵＲＬ）とＷＥＢ接続時のパスワード情報を、前記携帯端末に送信し、前記ＷＥＢアドレスとパスワード情報を受信した前記携帯端末は、受信した情報を元にＷＥＢ接続し、前記購入希望商品を扱っている最寄りの自動販売機がどこにあるかの位置情報を含む商品情報を取得することを特徴とする請求項１に記載の自動販売機と携帯端末との通信システム。
【請求項３】
前記携帯端末は、前記自動販売機又は前記ＷＥＢのいずれかから送信された商品情報を、携帯端末のスピーカまたはイヤホンジャックを介して音声により商品購入希望者に報知することを特徴とする請求項２に記載の自動販売機と携帯端末との通信システム。
【請求項４】
前記携帯端末は、前記自動販売機又は前記ＷＥＢのいずれかから前記自動販売機から送信された商品情報を表示部に画面表示し、その画面には少なくとも前記購入希望商品を扱っている最寄りの自動販売機の位置が地図表示されることを特徴とする請求項２に記載の自動販売機と携帯端末との通信システム。
【請求項５】
請求項１乃至４のいずれか１項に記載の自動販売機と携帯端末との通信システムの端末として用いられることを特徴とする自動販売機。
【請求項６】
請求項１乃至４のいずれか１項に記載の自動販売機と携帯端末との通信システムの端末として用いられることを特徴とする携帯端末。
【請求項７】
送受信アンテナと無線部とを備えた自動販売機と、商品購入希望者が使用する携帯端末とで通信を行う通信方法であって、
前記自動販売機に購入希望商品が在庫切れの場合に、前記自動販売機により、少なくとも前記購入希望商品を扱っている最寄りの自動販売機がどこにあるかの位置情報を含む商品情報を、前記携帯端末に送信し、前記位置情報には、地図情報が含まれており、
前記携帯端末により、前記自動販売機から送信された商品情報を表示部に画面表示し、その画面には少なくとも前記購入希望商品を扱っている最寄りの自動販売機の位置の地図と、現在の自動販売機位置の方向を示す矢印と、該矢印が携帯端末の画面の上面になるように携帯端末の向きを変更するように促すコメントとを表示することを特徴とする自動販売機と携帯端末との通信方法。
【発明の詳細な説明】
【技術分野】
【０００１】
本発明は、自動販売機に関し、特に購入希望者に商品情報を報知することができる自動販売機に関するものである。
【背景技術】
【０００２】
手軽な販売方式として、多くの自動販売機が設置されている。しかし、自動販売機において商品の売り切れ、またはその商品の取り扱いをしていないため、商品購入希望者が希望の商品を購入できないことがある。このような場合に希望の商品を購入できなかった購入希望者は、希望の商品が販売されている最寄りの自動販売機を、自分で探し回る必要があり、時間と手間の無駄が生じる。さらに不案内な場所では、商品購入希望者は希望の商品が販売されている最寄りの自動販売機がどこにあるかが、全くわからなく、希望の商品が購入できないということがある。
【０００３】
このように自動販売機による販売は体面販売でないため、希望の商品が売り切れまたは、取り扱いをしていない場合には、商品購入希望者は希望商品がどこで販売されているかの情報が入手困難であり、購入できないという問題がある。この問題に対し特開２００２−２０３２７３号広報（以下、特許文献１と記載する）では、希望の商品の所在情報が得られる自動販売機に関する技術が開示されている。
【０００４】
【特許文献１】特開２００２−２０３２７３号公報
【発明の開示】
【発明が解決しようとする課題】
【０００５】
上記したように、自動販売機では、希望の商品が売り切れ、又は取り扱いされてない場合には、購入希望者は希望商品がどこで販売されているかという情報を得にくいという問題がある。この問題に対処するため希望商品を販売している最寄りの自動販売機の位置情報が得られる自動販売機システムに関する技術が、特許文献１に開示されている。特許文献１には、自動販売機群を中央管理装置とネットワーク接続した自動販売機システムが示されている。ネットワーク接続された自動販売機は商品が売り切れた場合には、中央管理装置に在庫切れ情報を送信する。中央管理装置は、希望商品を扱っている自動販売機を探し出し、その情報を自動販売機に返信する。自動販売機が中央管理装置からの情報を表示することで、購入希望者は購入希望商品を扱っている自動販売機の所在を知ることができる。
【０００６】
しかし、上記した特許文献１の技術では、中央管理装置が必要であり、その中央管理装置と自動販売機とをネットワーク接続している。そのためそのシステム構成が大規模となるという問題がある。そのため簡単な構成で、上記した課題を解決する手段が期待されている。本発明の目的は、簡単な構成で、上述した課題を解決する自動販売機を提供することにある。
【課題を解決するための手段】
【０００７】
本発明の自動販売機は、送受信アンテナと無線部とを備え、商品購入希望者が使用する携帯端末との間で通信することを特徴とする。
【０００８】
また本発明の自動販売機と携帯端末との通信システムは、送受信アンテナと無線部とを備えた自動販売機と、商品購入希望者が使用する携帯端末との間で通信することを特徴とする。
【０００９】
さらに本発明の自動販売機と携帯端末との通信方法は、送受信アンテナと無線部とを備えた自動販売機と、商品購入希望者が使用する携帯端末との通信方法であって、前記自動販売機に購入希望商品が在庫切れの場合に、前記携帯端末は情報要求信号を前記自動販売機に送信し、前記自動販売機は購入希望商品の入力を促す表示データを前記携帯端末に送信し、前記携帯端末は購入希望商品名を前記自動販売機に送信し、前記自動販売機は購入希望商品に関する商品情報を記憶部から読み出すとともに前記携帯端末に送信し、前記携帯端末は受信した購入希望商品に関する商品情報を表示部に表示することを特徴とする。
【００１０】
さらに本発明の第２の自動販売機と携帯端末との通信方法は、送受信アンテナと無線部とを備えた自動販売機と、商品購入希望者が使用する携帯端末との通信方法であって、前記自動販売機に購入希望商品が在庫切れの場合に、前記携帯端末は情報要求信号を前記自動販売機に送信し、前記自動販売機は購入希望商品の入力を促す表示データを前記携帯端末に送信し、前記携帯端末は購入希望商品名を前記自動販売機に送信し、前記自動販売機は前記購入希望商品を扱っている最寄りの自動販売機がどこにあるかが確認できるＷＥＢアドレス（ＵＲＬ）とＷＥＢ接続時のパスワード情報を、前記携帯端末に送信し、前記ＷＥＢアドレスとパスワード情報を受信した前記携帯端末は、受信した情報を元にＷＥＢ接続し、前記購入希望商品を扱っている最寄りの自動販売機がどこにあるかの位置情報を含む商品情報を取得し、前記携帯端末は取得した購入希望商品に関する商品情報を表示部に表示することを特徴とする。
【発明の効果】
【００１１】
本発明によれば、携帯端末と通信することができる自動販売機が得られる。
【発明を実施するための最良の形態】
【００１２】
以下、本発明の実施の形態について、詳細に説明する。
【００１３】
（第１実施形態）
本発明の第１実施形態を、図１を参照して説明する。図１に本発明の第１の実施形態に係る自動販売機のブロック図を示す。自動販売機１１は、入力ボタン１２、制御部１３、記憶部１４、ＬＣＤ表示部１５、商品排出部１６で構成される。自動販売機による商品購入希望者が、希望する商品に対応した入力ボタン１２を押下し、入金する。制御部１３は商品排出手段を使用して、商品を商品排出部１６に移動させる。商品購入希望者が商品を商品排出部１６から取り出すことで希望商品を購入できる。
【００１４】
しかし自動販売機１１に在庫切れで商品が無い場合や、元々希望する商品が取り扱われていない場合には、商品購入希望者はその自動販売機から購入することができない。自動販売機に希望商品がない場合には、自動販売機は、その前面に装着されたＬＣＤ表示部１５に希望商品が何であるか入力を促す画面を表示する。商品購入希望者は、その画面に従って希望する商品が何であるかを自動販売機上のボタンから入力する。この希望する商品名の入力方法は、特に限定されない。例えばＬＣＤ表示部１５がタッチパネル方式であれば、そのＬＣＤ画面に直接触れて希望する商品名を入力してもよい。
【００１５】
制御部１３は、入力された希望する商品に関する商品情報を記憶部１４より読み出し、ＬＣＤ表示部１５に表示する。商品情報には商品名や、その商品を扱っている最寄りの自動販売機の位置情報が含まれている。ＬＣＤ表示部１５には、商品名やその商品を扱っている最寄りの自動販売機がどこにあるかが表示される。記憶部１４に記憶されている希望する商品に対する商品情報は、あらかじめ自動販売機の管理者により入力してもよい。また複数の自動販売機がネットワークで結ばれている場合には、ネットワークで結ばれた自動販売機の在庫情報等を管理している管理端末からリアルタイムに商品の在庫情報等の管理情報が送られ記憶部１４に記憶されるようにすることもできる。
【００１６】
本実施形態によれば、自動販売機から購入を希望する商品が在庫切れであっても、商品購入希望者は希望する商品を扱っている最寄りの他の自動販売機の位置が直ぐに分かる。そのため、商品購入希望者は希望の商品を購入できる自動販売機を効率よく探すことができ、希望商品を購入できない事態を解消することができる。また、商品販売側も販売機会を失うことなく商品を販売できる。本発明によれば、購入希望者が希望の商品を購入しやすく、かつ商品販売側も販売機会を失うことなく商品を販売できる自動販売機が得られる。
【００１７】
（第２実施形態）
本発明の第２実施形態を、図面を参照して説明する。図２、３には、本発明の第２実施の形態例における自動販売機及び携帯端末のブロック図を示す。図４には、通信手順を示すフローチャートを示す。図５には、最寄りの他の自動販売機の位置を示す携帯端末の表示画面を示す。
【００１８】
図２に示す自動販売機２１は、入力ボタン２２、制御部２３、記憶部２４、ＬＣＤ表示部２５、無線部２６、送受信アンテナ２７、商品排出部２８から構成される。自動販売機２１は、図１の自動販売機１１に対し、無線部２６と送受信アンテナ２７が追加され、外部の携帯端末と通信可能である。図３に示す携帯端末は、送受信アンテナ３１、無線部３２、制御部３３、レシーバ３４、マイク３５、入力キー３６、記憶部３７、スピーカ３８、表示部３９から構成される。この携帯端末は商品購入希望者が使用している端末であり、自動販売機２１とデータを送受信することができる情報携帯端末である。
【００１９】
自動販売機による商品購入希望者は、希望する商品に対応した入力ボタン２２を押下し、入金する。自動販売機の制御部２３は、商品排出手段を用いて商品を商品排出部２８に移動させる。商品購入希望者が商品を商品排出部２８から取り出すことで希望商品を購入できる。しかし自動販売機２１に在庫切れで商品が無い場合や、元々希望する商品が取り扱われていない場合には、商品購入希望者は自動販売機２１から購入することができない。
【００２０】
このように自動販売機２１に在庫切れで商品が無い場合や、元々希望する商品が取り扱われていない場合には、自動販売機２１は前面に装着されたＬＣＤ表示部２５に希望商品が何であるか、入力を促す画面を表示する。自動販売機からの商品購入希望者が、携帯端末による入力を選択した場合の自動販売機と携帯端末の動作について、図４のフローチャートを用いて説明する。図４には左側に携帯端末、右側に自動販売機の動作をそれぞれ示している。
【００２１】
最初に自動販売機側の動作について、図４のフローチャートを用いて説明する。ステップ５１で、自動販売機は、携帯端末からの情報要求信号を送受信アンテナ２７、無線部２６を通して受信する。ステップ５２にて、自動販売機の制御部２３は、希望商品の入力を促す表示をさせるためのデータを記憶部２４より読み出し、無線部２６、送受信アンテナ２７を通して送信する。ステップ５３にて、携帯端末から希望商品が何であるかの情報を受信する。ステップ５４にて、自動販売機の制御部２３は、記憶部２４に記憶されている希望商品に関する商品情報を読み出し、読み出した希望商品に関する商品情報を無線部２６、送受信アンテナ２７を通して携帯端末に送信する。商品情報には、少なくとも商品名、その商品を扱っている最寄りの自動販売機の位置情報が含まれている。
【００２２】
次に携帯端末側の動作について、同じく図４のフローチャートを用いて説明する。ステップ５１にて、携帯端末の制御部３３は、携帯端末使用者の入力キー３６の操作により自動販売機に対して無線部３２、送受信アンテナ３１を通して情報要求信号を送出する。ステップ５２にて、携帯端末の送受信アンテナ３１、無線部３２を通して自動販売機からの希望商品入力を促す信号を受信し、携帯端末の制御部３３は、受信した内容を表示部３９に表示する。ステップ５３にて、携帯端末使用者は、表示部３９の内容に従い、希望の商品名を入力キー３６により入力する。制御部３３は、入力されたデータを自動販売機に対して希望商品が何であるかの情報として送信する。ステップ５４にて携帯端末が自動販売機からの希望商品に関する商品情報を受信し、制御部３３は表示部３９に希望商品に関する商品情報を表示する。例えば、図５に示すように、“対象商品名：Ａ。販売箇所：現在地から南の方向に５０ｍの地点にある自動販売機にて販売しています。”等の情報を表示する。
【００２３】
図４のフローチャートに従って自動販売機と携帯端末とが通信することで、商品購入希望者は、希望商品が購入できる最寄りの自動販売機がどこにあるかの情報を携帯端末により入手することが可能になる。ここで、この無線部の通信方式については特に限定されるものではなく、複数の通信方式の無線部を自動販売機及び、携帯端末に搭載し、通信可能な通信方式で自動販売機と携帯端末間の通信をしてもよい。
【００２４】
また自動販売機は、ステップ５４にて購入希望商品を扱っている最寄りの自動販売機がどこにあるかが確認できるＷＥＢアドレス（ＵＲＬ）とＷＥＢ接続時のパスワード情報を、携帯端末に送信するようにしても良い。ＷＥＢアドレスとパスワード情報を受信した携帯端末は、受信した情報を元にＷＥＢ接続し、最寄りの自動販売機がどこにあるかの商品情報を取得して、携帯端末の表示部に表示する。このようにＷＥＢを介して商品情報を取得し、購入希望商品を扱っている最寄りの自動販売機の位置がどこにあるかが確認することができる。
【００２５】
本実施形態によれば、自動販売機と携帯端末間で通信することで、希望する商品を扱っている最寄りの他の自動販売機の位置を、携帯端末の表示部に表示することができる。そのため、商品購入希望者は希望の商品を購入できる自動販売機を効率よく探すことができ、希望商品を購入できない事態を解消することができる。また、商品販売側も販売機会を失うことなく商品を販売できる。このように、購入希望者は元々使用していた携帯端末が使用でき、自動販売機は無線部と送受信アンテナを追加するだけで、簡単に自動販売機と携帯端末との通信システムが構築できる。本発明によれば、購入希望者が希望の商品を購入しやすく、かつ商品販売側も販売機会を失うことなく商品を販売できる自動販売機、及び自動販売機と携帯端末との通信システムが得られる。
【００２６】
（第３実施形態）
本発明の第３実施形態を説明する。本実施形態は、第２実施形態における最寄りの他の自動販売機の位置の報知を、音声による報知に変更した実施形態例である。第２実施形態と同様に図２に示す自動販売機と図３に示す携帯端末とで通信する。図４のフローチャートにおける自動販売機の動作は、上記した第２実施形態における動作と同じであることから、その説明は省略する。ここでは携帯端末の動作について説明する。
【００２７】
第２実施形態と同様に、ステップ５１にて携帯端末の制御部３３が、携帯端末使用者の入力キー３６操作により自動販売機に対して無線部３２、送受信アンテナ３１を通して情報要求信号を送出する。さらにステップ５２、５３の動作と、ステップ５４における携帯端末が自動販売機からの希望商品に関する商品情報を受信するまでの動作は、上述した第２実施形態と同じである。その後ステップ５４において、制御部３３は受信した希望商品の情報を携帯端末のスピーカ３８より音声で報知する。例えば、『対象商品はＡです。販売箇所は現在位置から南の方向に５０ｍの地点にある自動販売機にて販売しています。』の音声報知を行う。スピーカの変わりにイヤホンジャック等を設け、イヤホンによる音声通知をしてもよい。音声による通知であり、目の不自由な人でも認識できるようになる。また、ＷＥＢを介して商品情報を取得する場合も、同様に音声により告知できることは容易に理解できることから、その説明は省略する。
【００２８】
本実施形態によれば、自動販売機と携帯端末間で通信することで、希望する商品を扱っている最寄りの他の自動販売機の位置を、音声で知ることができる。そのため、商品購入希望者は希望の商品を購入できる自動販売機を効率よく探すことができ、希望商品を購入できない事態を解消することができる。また、商品販売側も販売機会を失うことなく商品を販売できる。このように、購入希望者は元々使用していた携帯端末が使用でき、自動販売機は無線部と送受信アンテナを追加するだけで、簡単に自動販売機と携帯端末との通信システムが構築できる。本発明によれば、購入希望者が希望の商品を購入しやすく、かつ商品販売側も販売機会を失うことなく商品を販売できる自動販売機、及び自動販売機と携帯端末との通信システムが得られる。
【００２９】
（第４実施形態）
本発明の第４実施形態を、図面を参照して説明する。本実施形態は、第２実施形態における最寄りの他の自動販売機の位置の報知を、図６に示すように地図情報を含めて報知する実施形態例である。図２に示す自動販売機と図３に示す携帯端末とで通信する。図４のフローチャートにおける自動販売機の動作は、上記した第２実施形態における動作と同じであることから、その説明は省略する。ここでは携帯端末の動作と、商品情報について説明する。
【００３０】
第２実施形態と同様に、ステップ５１にて携帯端末の制御部３３が、携帯端末使用者の入力キー３６操作により自動販売機に対して無線部３２、送受信アンテナ３１を通して情報要求信号を送出する。さらにステップ５２、５３の動作と、ステップ５４における携帯端末が自動販売機からの希望商品に関する商品情報を受信するまでの動作は、上述した第２実施形態と同じである。
【００３１】
その後ステップ５４において、制御部３３は受信した希望商品の商品情報を受信すると、受信した商品情報の中にある自動販売機の位置情報に対応した地図情報を記憶部３７より読み出し、読み出した地図情報を表示部３９に表示する。例えば、図６のように表示する。あるいは、これらの地図情報は、受信した自動販売機の商品情報に中に含めることもできる。受信した自動販売機の情報の中に地図情報が含まれている場合は、携帯端末の記憶部３７より地図情報を読み出すことなく、自動販売機から受信した地図情報をそのまま表示部３９に表示することができる。地図情報を表示することにより視角的に希望商品を購入できる最寄りの自動販売機の位置が認識できるため、携帯端末使用者である商品購入希望者は、容易に最寄りの自動販売機がどこにあるかを認識できることが可能になる。また、ＷＥＢを介して商品情報を取得する場合も、同様に携帯端末の表示部に表示できることは容易に理解できることから、その説明は省略する。
【００３２】
本実施形態によれば、自動販売機と携帯端末間で通信することで、希望する商品を扱っている最寄りの他の自動販売機の位置を地図として、携帯端末の表示部に表示することができる。そのため、商品購入希望者は希望の商品を購入できる自動販売機を効率よく探すことができ、希望商品を購入できない事態を解消することができる。また、商品販売側も販売機会を失うことなく商品を販売できる。このように、購入希望者は元々使用していた携帯端末が使用でき、自動販売機は無線部と送受信アンテナを追加するだけで、簡単に自動販売機と携帯端末との通信システムが構築できる。本発明によれば、購入希望者が希望の商品を購入しやすく、かつ商品販売側も販売機会を失うことなく商品を販売できる自動販売機、及び自動販売機と携帯端末との通信システムが得られる。
【００３３】
（第５実施形態）
本発明の第５実施形態を、図面を参照して説明する。本実施形態は、第２実施形態における最寄りの他の自動販売機の位置を、図７に示すように地図情報とともに、方向も示すように変更した実施形態例である。図２に示す自動販売機２１と図３に示す携帯端末とで通信する。図４のフローチャートにおける自動販売機の動作は、上記した第２実施形態における動作と同じであり、その説明は省略する。ここでは携帯端末の動作と、商品情報について説明する。
【００３４】
第２の実施形態例と同様に、ステップ５１にて携帯端末の制御部３３が、携帯端末使用者の入力キー３６操作により自動販売機に対して無線部３２、送受信アンテナ３１を通して情報要求信号を送出する。さらにステップ５２、５３の動作と、ステップ５４における携帯端末が自動販売機からの希望商品に関する商品情報を受信するまでの動作は上述した第２の実施形態例と同じである。その後ステップ５４において、制御部３３は受信した希望する商品情報を受信すると、受信した情報の中にある位置情報に対応した地図情報を記憶部３７より読み出し、読み出した地図情報を表示部３９に表示する。表示した地図情報には、更に携帯端末に対する現在の自動販売機位置の方向（図７の矢印）が追加されている。携帯端末使用者（商品購入希望者）は、この携帯端末に対する現在の自動販売機位置の方向を示す矢印が携帯端末の画面の上面になるように携帯端末の向きを変更し、固定する。
【００３５】
この場合図７に示すように、現在の自動販売機が携帯端末の画面上面とすることで、商品購入希望者と、希望商品を扱っている自動販売機の位置関係が商品購入希望者の前後左右として認識できる。すなわち第４実施形態の図６においては、商品購入希望者と、希望商品を扱っている自動販売機の位置関係が東西南北の位置関係（図６では南方向５０ｍ）として認識される。しかし東西南北の方向を指示されても、商品購入希望者が東西南北の方角が全くわからない場所では、東西南北は認識できない。しかし現在の自動販売機を携帯端末の画面上面とすることで、商品購入希望者と希望商品を扱っている自動販売機の位置関係が現在地の前後左右（図７のおいては、左斜め後ろ）として認識できる。
【００３６】
このように商品購入希望者（携帯端末使用者）が、方向表示に従って携帯端末の向きを固定することで、携帯端末、現在の自動販売機及び希望商品が購入可能な自動販売機の３者の位置関係が明確になる。商品購入希望者が東西南北の方角が全くわからない場所であっても、どの方向に希望商品が購入可能な自動販売機が存在するかが、容易に認識できることが可能になる。また、ＷＥＢを介して商品情報を取得する場合も、同様に携帯端末の表示部に表示できることは容易に理解できることから、その詳細な説明は省略する。
【００３７】
本実施形態によれば、自動販売機と携帯端末間で通信することで、希望する商品を扱っている最寄りの他の自動販売機の位置を地図として、携帯端末の表示部に表示することができる。さらにその地図の方向を合わせることで、どの方向に希望商品が購入可能な自動販売機が存在するかが、認識しやすい地図とすることができる。そのため、商品購入希望者は希望の商品を購入できる自動販売機を効率よく探すことができ、希望商品を購入できない事態を解消することができる。また、商品販売側も販売機会を失うことなく商品を販売できる。このように、購入希望者は元々使用していた携帯端末が使用でき、自動販売機は無線部と送受信アンテナを追加するだけで、簡単に自動販売機と携帯端末との通信システムが構築できる。本発明によれば、購入希望者が希望の商品を購入しやすく、かつ商品販売側も販売機会を失うことなく商品を販売できる自動販売機、及び自動販売機と携帯端末との通信システムが得られる。
【００３８】
本発明によれば、送受信アンテナと無線部とを備え、商品購入希望者が使用する携帯端末との間で通信することができる自動販売機を提供することができる。その自動販売機は、自動販売機に購入希望商品が在庫切れの場合には、自動販売機は少なくとも購入希望商品を扱っている最寄りの自動販売機がどこにあるかの位置情報を含む商品情報を、携帯端末に送信することができる。また自動販売機から購入希望商品を扱っている最寄りの自動販売機がどこにあるかが確認できるＷＥＢアドレス（ＵＲＬ）とＷＥＢ接続時のパスワード情報を、携帯端末に送信する。携帯端末はＷＥＢを介して最寄りの自動販売機がどこにあるかの商品情報を取得することもできる。この位置情報には、購入希望商品を扱っている最寄りの自動販売機の地図情報や、現在の自動販売機の方向を示す情報を含むことができる。
【００３９】
また本発明によれば、送受信アンテナと無線部とを備えた自動販売機と、商品購入希望者が使用する携帯端末との間で通信することができる自動販売機と携帯端末との通信システムを提供することができる。本発明の自動販売機と携帯端末との通信システムでは、自動販売機に購入希望商品が在庫切れの場合には、自動販売機は少なくとも購入希望商品を扱っている最寄りの自動販売機がどこにあるかの位置情報を含む商品情報を、携帯端末に送信し、商品購入希望者に報知することができる。また自動販売機から、商品情報の代わりに購入希望商品を扱っている最寄りの自動販売機がどこにあるかが確認できるＷＥＢアドレス（ＵＲＬ）とＷＥＢ接続時のパスワード情報を、携帯端末に送信することもできる。携帯端末は受信した情報を元にＷＥＢ接続し、ＷＥＢを介して最寄りの自動販売機がどこにあるかの商品情報を取得することができる。
【００４０】
この商品情報は、携帯端末の画面表示や、スピーカまたはイヤホンジャック等を介して音声により知らせることもできる。また位置情報としては、購入希望商品を扱っている最寄りの自動販売機の地図や、現在の自動販売機の方向が含まれ、その方向に従って携帯端末の向きを変更することもできる。
【００４１】
また本発明によれば、自動販売機と携帯端末との通信システムの通信端末として使用できる自動販売機、あるいは携帯端末を提供することができる。
【００４２】
さらに本発明によれば、送受信アンテナと無線部とを備えた自動販売機と、商品購入希望者が使用する携帯端末との通信方法を提供できる。自動販売機に購入希望商品が在庫切れの場合に、携帯端末は情報要求信号を自動販売機に送信し、自動販売機は購入希望商品の入力を促す表示データを携帯端末に送信し、携帯端末は購入希望商品名を自動販売機に送信し、自動販売機は購入希望商品に関する商品情報を記憶部から読み出すとともに携帯端末に送信し、携帯端末は受信した購入希望商品に関する商品情報を表示部に表示する自動販売機と携帯端末との通信方法を提供することができる。
【００４３】
以上、実施形態例を参照して本願発明を説明したが、本願発明は上記の実施形態例に限定されるものではない。本願発明の構成や詳細には、本願発明のスコープ内で当業者が理解し得る様々な変更をすることができる。
【図面の簡単な説明】
【００４４】
【図１】本発明の第１の実施形態に係る自動販売機のブロック図である。
【図２】本発明の第２、３、４、５の実施形態に係る自動販売機のブロック図である。
【図３】本発明の第２、３、４、５の実施形態に係る携帯端末のブロック図である。
【図４】本発明の第２、３、４、５の実施形態に係るフローチャート図である。
【図５】本発明の第２の実施形態に係る表示画面である。
【図６】本発明の第４の実施形態に係る表示画面である。
【図７】本発明の第５の実施形態に係る表示画面である。
【符号の説明】
【００４５】
１１、２１    自動販売機
１２、２２    入力ボタン
１３、２３    制御部
１４、２４    記憶部
１５、２５    ＬＣＤ表示部
１６、２８    商品排出部
２６    無線部
２７    送受信アンテナ
３１    送受信アンテナ
３２    無線部
３３    制御部
３４    レシーバ
３５    マイク
３６    入力キー
３７    記憶部
３８    スピーカ
３９    表示部
４１    携帯端末
【図１】
0005273778.tif 000002
【図２】
0005273778.tif 000003
【図３】
0005273778.tif 000004
【図４】
0005273778.tif 000005
【図５】
0005273778.tif 000006
【図６】
0005273778.tif 000007
【図７】
0005273778.tif 000008